(57)【要約】【課題】  ファンモジュールおよび整流構造部を分解したり交換したりすることが容易にできる複合式ファンを提供する。【解決手段】  個別に独立しており、互いに組み合わまたは分離可能なファンモジュール１０２および整流構造部１２０を備えている。ファンモジュール１０２はハブ１０４、複数個のファン翼１０６およびモータモジュール１０８を有しており、ファン翼１０６はハブ周縁に設けられる。整流構造部１２０は、ファンモジュール１０２の空気流を導く構造体部である。【選択図】  図１
2005023926.tif 000002
【特許請求の範囲】
【請求項１】
少なくとも一つのハブ、複数のファン翼およびモータモジュールを有し、前記ファン翼が前記ハブの周縁に設けられる少なくとも一つのファンモジュールと、
前記ファンモジュール中の空気流を導く整流構造部とを備える複合式ファンであって、
前記整流構造部および前記ファンモジュールは、個別に独立し、互いに組合わせまたは分離可能であることを特徴とする複合式ファン。
【請求項２】
前記ファンモジュールと前記整流構造部との間に位置する固定具を備えることを特徴とする請求項１記載の複合式ファン。
【請求項３】
前記固定具は前記ファンモジュールに接続され少なくとも一つの引掛固定構造部を有し、前記整流構造部は前記引掛固定構造部に対応する少なくとも一つの接続構造部を有し、
前記ファンモジュールは、前記固定具の前記引掛固定構造部を前記接続構造部へ固定することにより前記整流構造部に固定することを特徴とする請求項２記載の複合式ファン。
【請求項４】
前記引掛固定構造部は弾性アームおよび前記弾性アームから延伸突出した突状係止構造部を有し、前記接続構造部は前記接続構造部の表面から内側に凹んだ凹み部を有し、
前記引掛固定構造部は弾性アームおよび前記弾性アームの表面から内側に凹んだ凹み部を有し、前記接続構造部は延伸突出した突状係止構造部を有し、
前記引掛固定構造部は前記固定具から延伸突出しそこから延伸突出した突状係止構造部を有し、前記接続構造部は弾性アームおよび前記弾性アームの表面から内側に凹んだ凹み部を有し、
前記引掛固定構造部は前記固定具から延伸突出し前記引掛固定構造部の表面から内側に凹んだ凹み部を有し、前記接続構造部は弾性アームおよび前記弾性アームから延伸突出した突状係止構造部を有し、
前記突状係止構造部は前記凹み部に対応することを特徴とする請求項３記載の複合式ファン。
【請求項５】
前記固定具と前記整流構造部とは、粘着または締結により接続されていることを特徴とする請求項２記載の複合式ファン。
【請求項６】
前記固定具または前記整流構造部の材料は、金属材料、紙材、弾性ファイバーグラスおよびプラスチック材からなるグループから一つ選ばれることを特徴とする請求項２記載の複合式ファン。
【請求項７】
前記ファンモジュールおよび前記整流構造部は、それぞれ固接する装置を備えることを特徴とする請求項１記載の複合式ファン。
【請求項８】
前記固接する装置と前記ファンモジュールまたは前記整流構造部の少なくともいずれか一方とは、引掛固定、締結および粘着のいずれかにより接続され、
前記固接する装置を前記ファンモジュールおよび前記整流構造部へ接続するとき、引掛固定または締結により前記ファンモジュール、前記整流構造部および前記固接する装置を固接することを特徴とする請求項７記載の複合式ファン。
【請求項９】
前記整流構造部は、第１開口、第２開口および第３開口を有し前記第１開口および前記第３開口が前記第２開口よりも大きい構造体部、第４開口および第５開口を有し前記第４開口および前記第５開口の寸法が同一または異なる構造体部、少なくとも一つの整流壁を有し前記整流壁と前記固接する装置とが特定角度を形成する構造体部、軸流式、または離心式のいずれかであることを特徴とする請求項７記載の複合式ファン。
【請求項１０】
前記固接する装置は、発熱装置であることを特徴とする請求項７記載の複合式ファン。
【発明の詳細な説明】
【技術分野】
【０００１】
本発明は、複合式ファン（hybrid fan）に関し、特に、ファンモジュールおよび整流構造部を分解したり交換したりすることが容易にできる複合式ファンに関する。
【背景技術】
【０００２】
現在の発熱システムにおいて、最も広く使われている放熱装置はファンである。従来のファン構造部は、ハウジング、ハブ、ファン翼およびモータ部からなり、ネジ孔がハウジングの四隅に設けられる。
【０００３】
従来技術のファンは、ファンの機能および効果がハウジング構造部により決定されたため、それにより達成される機能および効果は、形成した後変更することができなかった。装置に特定効果が必要なとき、特定型式のファンを使用する必要があり、この装置に必要な効果が変更されたときには、もう一つの型式のファンへ完全に交換する必要があった。そのため、ファンを製造するメーカは、各種状況に合わせて各種ファンを設計或いは生産する必要があった。ある型式のファンに対するニーズが低いとき、多くの成形コストが必要となるため、製造コストは高くなった。
【０００４】
ファンおよびシステムの組立てには多くのネジを使用する必要があり、従来のファン構造部において、ハウジング部分の成形費用および材料コストもファンの製造コスト中において大きい比率を占めるため、システムおよびファンの組立てにおいて、そのコストをさらに下げることはできなかった。
【発明の開示】
【発明が解決しようとする課題】
【０００５】
本発明の第１の目的は、使用環境のニーズに合わせて整流構造部を随時交換して、好適な環境適応効果を有し、使用の利便性を大幅に高める複合式ファンを提供することにある。
本発明の第２の目的は、ネジなど他の接合部品の使用量を大幅に減らして、組立てのコストおよび時間を大幅に下げる複合式ファンを提供することにある。
本発明の第３の目的は、ファンの材料使用量を大幅に減らして、製造のコストおよび時間を大幅に下げる複合式ファンを提供することにある。
本発明の第４の目的は、空気抵抗を下げて、ファン運転時の騒音レベルを下げる複合式ファンを提供することにある。
本発明の第５の目的は、ファンの作動効率を大幅に高める複合式ファンを提供することにある。
【課題を解決するための手段】
【０００６】
ここで、本発明の複合式ファンは、それぞれ独立して組立および分離できるファンモジュールおよび整流構造部を有する。ファンモジュールは少なくともハブ、複数個のファン翼およびモータモジュールを有し、ファン翼はハブ周縁に設けられる。整流構造部は、ファンモジュールの空気流を導く構造体部である。
【０００７】
本発明の複合式ファン構造部は、一つのファンモジュールと一つの整流構造部との組合せ、複数個のファンモジュールと一つの整流構造部との組合せ、複数個の整流壁部と一つのファンモジュールとの組合せ、または複数個の整流壁と複数個のファンモジュールとの組合せでもよい。
【０００８】
本発明の複合式ファン構造部において、ファンモジュールと整流構造部との間には固定具を形成して、ファンモジュールと整流構造部とを接続してもよい。ファンモジュール、固定具、整流構造部との間の結合方式は、引掛固定、締結または粘着などの方式である。
【０００９】
また、上述の複合式ファン構造部中、固定具は弾性アームおよび突状係止構造部を有し、弾性アームは特定方向で往復移動することができ、突状係止構造部は弾性アームから延伸突出し、突状係止構造部は、接続構造部の凹み部に対応して位置する。また、上述のファン固定具は弾性アームおよび凹み部を有することもでき、弾性アームは特定方向を往復移動することができ、凹み部は弾性アーム表面から内側へ凹み、凹み部は接続構造部から延伸突出した突状係止構造部に対応する。
【００１０】
また、上述した複合式ファン構造部中、引掛固定構造部は延伸突出した固定具でもよく、延伸突出した突状係止構造部を有し、接続構造部は弾性アームを有し、弾性アームの表面から内側へ凹んだ凹み部を有し、突状構造部は凹み部に対応する。
【００１１】
また、本発明の複合式ファンおよびその他の装置（またはシステム）を結合したとき、ファンモジュールと整流構造部は装置（またはシステム）上へそれぞれ固接することができ、引掛固定または締結の方式により、ファンモジュール、整流構造部を同時に装置（またはシステム）上へ結合する。ファンモジュール、整流構造部、装置（またはシステム）の間の結合は、引掛固定、締結または粘着などの方式である。
【００１２】
また、本発明の整流構造部の型式は、軸流式フレームまたは送風式フレーム、更には第１開口、第２開口および第３開口を有し、第１開口および第３開口が、第２開口よりも大きい構造体部か、第１開口および第２開口を有し、第１開口および第２開口の寸法が同一または異なる構造体部でもよい。整流構造部の材料は、ガラス繊維３０％を含むポリブチレンテレフタレート（Polybutyleneterephthalate：ＰＢＴ）または金、銀、銅、鉄、アルミニウム、チタンまたはその合金などの金属である。
本発明の複合式ファン構造部のファン翼は、送風式ファン翼または軸流式ファン翼でもよい。
【発明の効果】
【００１３】
本発明の複合式ファンは、ファンモジュールおよび整流構造部がそれぞれ独立した構造体部であるため、使用環境の必要性に応じて整流構造部を随時変更し、環境に適する効果を有し、使用の利便性を大幅に高めることができる。
また、本発明の複合式ファンは、直接に引掛固定または少しのネジ締結などの方式によりその他の装置上へ固定することができるため、ネジなどその他の接合部品の使用量を減らして、組立てのコストおよび時間を大幅に減らすことができる。
【００１４】
また、本発明の複合式ファンは、制御スイッチ状態を調整することにより、容易にそのファンモジュールおよび整流構造部（またはその他の装置）の結合および分離をおこなうため、ファンモジュールおよび整流構造部（またはその他の装置）を分解する利便性を高め、ファンモジュールおよび整流構造部（またはその他の装置）の分解時間を短縮することができる。
【００１５】
また、本発明の複合式ファンは、その他の締結部品を使用せずにその他の装置上へ固定するため、従来のファンがその他の装置と固接するために使用していた部分が必要なくなり、ファンの材料使用量が大幅に減り、製造のコストおよび時間を大幅に減少することができる。
また、本発明の複合式ファンのファンモジュールと整流構造部は、それぞれ独立するため、本発明の複合式ファンは、実際の必要性により風圧、風量、更には風抵抗を容易に下げて複合式ファンが運転する時の騒音音量を下げることができる。
【００１６】
また、本発明のファンモジュールと整流構造部を個別にその他の装置上へ設けるとき、整流構造部は空気流を導くのに使用する構造体部だけを備えるだけで、ファンモジュールは前述の装置に対して最大の放熱効果を発揮し、ファンの作動効率を大幅に高めることができる。
【発明を実施するための最良の形態】
【００１７】
（第一実施例）
図１は、本発明の好適な第一実施例を示す複合式ファン１００の分解斜視図である。図１に示すように、複合式ファン１００は、ファンモジュール１０２、固定具１１０、整流構造部１２０からなる。整流構造部１２０とファンモジュール１０２とは、それぞれ独立しており、互いに組合わせたり分離したりすることができる。前述の組合せ方式は、例えば固定具１１０の引掛固定構造部１１６によりファンモジュール１０２を整流構造部１２０上に固定するか、または固定具１１０および整流構造部１２０を結合することにより、ファンモジュール１０２を整流構造部１２０上に固定する方式である。
【００１８】
ファンモジュール１０２はハブ１０４、複数個のファン翼１０６およびモータモジュール１０８からなる。ハブ１０４は中央軸受（図示せず）を有し、この中央軸受はハブ１０４の内面から突出しており、ハブ１０４が回転するときの回転軸受にする。また、ハブ１０４内面上にはハブ１０４の内周縁を囲む磁性材料層があり、この磁性材料層は、モータモジュール１０８上の磁極相に感応してハブ１０４を誘発し、ハブ１０４を回転させる複数個の磁極を有する。
【００１９】
ファン翼１０６は、ハブ１０４の外周縁に固接される。ファン翼１０６の数量および形状は、実際の必要性により適当に調整される。ファン翼１０６の型式は、例えば軸流式ファン翼、送風（Blower）式ファン翼などである。図３は、本実施例による複合式ファンのファン翼を示す斜視図である。図３に示すように、ファンモジュール１０２ａはハブ１０４、ハブ１０４を囲むリブ部１３６、リブ部１３６上に位置する複数個のファン翼１０６ａおよびモータモジュール１０８（図１を参照）からなる送風式ファンである。
モータモジュール１０８は、ファンモジュール１０２を駆動する駆動回路および磁極を有する。その磁極は、例えば固定子構造部中のＮ−Ｓ磁極であり、その磁極数は前述の磁性材料層の磁極数に対応する。
【００２０】
固定具１１０は、ファンモジュール１０２と整流構造部１２０との間に位置し、固定具本体部１１４、固定部１１８、引掛固定構造部１１６および制御スイッチ１１２を備える。ファンモジュール１０２と固定具１１０との結合方式は、例えばハブ１０４の中央軸受をモータモジュール１０８の軸心部へ通して固定部１１８上へ連結する方式である。固定具１１０の材料は、金属材料、紙材、弾性ファイバー、プラスチック材などである。前述の金属材料は金、銀、銅、鉄、アルミニウム、チタンおよびその合金である。
固定部１１８は固定具本体部１１４の表面上に位置し、ファンモジュール１０２との接合に使用する。固定部１１８は、本体部１１４から延伸突出した突出構造部である。
【００２１】
引掛固定構造部１１６は、弾性アームおよび弾性アームから延伸突出した突状係止構造部からなり、固定具１１０を整流構造部１２０上に固定するのに使用し、引掛固定構造部１１６は、制御スイッチ１１２の切換えにより固定具１１０および整流構造部１２０を容易に接合または分離することができる切換機能を有する。弾性アームは、特定の方向を往復移動することができ、例えば弾性アームは、横向移動することができる。突状係止構造部の型式は、後述する接続構造部１２４上の凹み部に対応した型式である。
【００２２】
また、前述の引掛固定構造部１１６の突状係止構造部も前述の弾性アーム表面から内側へ凹んだ凹み部へ変更することができ、この際、接続構造部１２４上の凹み部も対応して延伸突出した突状係止構造部へ変更することができる。さらに詳しく述べると、前述の突状係止構造部の型式は、矢型、逆鈎状係止型、柱型、不規則バンプ型、爪型などであり、凹み部は、空洞、開口、孔などである。
【００２３】
前述の引掛固定構造部１１６は、弾性アームを有するものを例にして説明したが、これだけに限定されるわけではなく、本体部１１４から直接に延伸突出した突出構造部でもよい。この突出構造部は、この突出構造部から延伸突出した突状係止構造部か、或いは突出構造部表面から内側に向かって凹んだ凹み部を有する。この際、引掛固定構造部に対応した接続構造部は弾性の構造体部、および弾性体表面から内側に向かって凹んだ凹み部またはこの弾性体から延伸突出した突状係止構造部を有し、接続構造部は、引掛固定構造部と容易に接合または分離をおこなうことができる。
【００２４】
他に、制御スイッチ１１２は、例えば縁に複数個の溝があるカムなどである。それは引掛固定位置の違いにより、引掛固定構造部１１６を外側へ突出させて接続構造部１２４中に固定するか、または引掛固定構造部１１６を内側へはねかえしして接続構造部１２４と分離する。このように、制御スイッチ１１２を回転させることにより引掛固定構造部１１６と接続構造部１２４との結合または分離を容易に制御し、固定具１１０とベース（または装置）の結合または分離を制御する。
【００２５】
整流構造部１２０は、一体成形されたベース１２２および構造体部１２６を有し、その機能はファンモジュール１０２の空気流を導くことである。ベース１２２は、接続構造部１２４および固定具１１０を接続することにより、ファンモジュール１０２を整流構造部１２０上へ固接する。接続構造部１２４の形状は、固定具１１０の引掛固定構造部１１６の形状と対応し、例えば接続構造部１２４と引掛固定構造部１１６とは互いに対応したバックル係止組合である。接続構造部１２４は、整流構造部１２０上に一体成形され、整流構造部１２０にフィルム製作する際に直接成形することができ、板金冶金の方式を利用して成形する。接続構造部１２４と引掛固定構造部１１６との接合および分離は、固定具１１０と整流構造部１２０との接合および分離により制御することができる。
【００２６】
また、整流構造部の材料は、例えば金属材料、紙材、弾性繊維、プラスチック材などである。具体的に述べると、金属材料は金、銀、銅、鉄、アルミニウム、チタンまたはその合金である。プラスチック材料は、例えばガラス繊維３０％を含むポリブチレンテレフタレート（Polybutyleneterephthalate：ＰＢＴ）プラスチック材料である。構造体部１２６上には接合ホール１２８が形成され、整流構造部１２０とその他の装置との間を接合するのに使用してもよい。
【００２７】
本実施例の複合式ファン１００において、ファンモジュール１０２と整流構造部１２０とは、例えば引掛固定、締結、粘着などの方式により直接に結合または分離される。また、ファンモジュール１０２と整流構造部１２０とは、先ずファンモジュール１０２を固定具１１０上へ固定してから、固定具１１０の引掛固定構造部１１６を引掛固定、締結、粘着などの方式により、これと整流構造部１２０の接続構造部１２４とを接続または分離する。なお、第１実施例では、引掛固定構造部１１６と接続構造部１２４とを互いに結合したものを例にして説明した。しかし、これだけに限定されるものではなく、引掛固定構造部１１６および接続構造部１２４の型式も結合方式により随時変化させ、例えば直接に固定具１１０の底面および整流構造部１２０のベース１２２を固定部にしてから、ネジまたは粘着剤などにより構造部へ接続し、固定具１１０と整流構造部１２０とを締結または粘着する構成としてもよい。
【００２８】
（第二実施例）
図２は、本発明の好適な第二実施例による複合式ファン１００ａの分解斜視図である。複合式ファン１００ａと複合式ファン１００との違いは、複合式ファン１００の型式が軸流式ファン型式であるのに対して、複合式ファン１００ａの型式が、送風式ファン（blower）型式であることである。
【００２９】
図２に示すように、整流構造部１３０はベース１２２、構造体部１３２、壁部１３４および上カバー（図示せず）を備える。ベース１２２上には固定具１１０に固接するのに用いる接続構造部１２４が形成され、構造体部１３２辺縁上に壁部１３４を形成する。ファンモジュール１０２を整流構造部１３０上へ設けて、上カバーと構造体部１３２とを接合した後、構造体部１３２、壁部１３４および上カバーは風圧を大幅に高めるフローチャネルを構成し、この複合式ファン１００ａを運転するとき、高い風圧の空気流が出力される。
【００３０】
また、第二実施例において、ファンモジュール１０２ａのファン翼１０６ａの型式は、図３に示すような型式に変更することもできる。この型式のファンモジュール１０２ａを使用する場合、複合式ファン１００ａは風圧および風量をさらに向上することができる。
【００３１】
図４Ａから図４Ｇは、本発明の上述の実施例による複合式ファンに適用される整流構造部の各種例を示す。なお、整流構造部は図に示す実施例だけに限定されるわけではなく、実際の状況に合わせて空気流を導く機能を有するその他の構造体部へ変更してもよい。
【００３２】
図４Ａに示すように、整流構造部１２０は開口１４０ａ、１４０ｂ、１４０ｃを有する構造体部１２６であり、開口１４０ａ、１４０ｃは開口１４０ｂよりも大きい。構造体部１２６は、開口１４０ｂから開口１４０ａ、１４０ｃへ向かって拡張した斜面を有する。開口１４０ａ〜１４０ｃの形状は、例えば円形であり、構造体部１２６の横断面形状は、正方形などである。この整流構造部１２０は、風圧および風量を増大させる効果を有する。また、この整流構造部１２０も構造体部１２６上に複数個の接合ホール１２８を形成し、ネジまたはその他の引掛固定装置により、接合ホール１２８に通してその他の装置上へ固接する。また、この整流構造部１２０は粘着方式により装置上へ固接することもでき、この際、前述の接合ホール１２８は形成しなくともよい。
【００３３】
図４Ｂに示すように、整流構造部１２０ａの型式は整流構造部１２０と類似しており、両者の違いは整流構造部１２０ａの構造体部１２６ａが、構造体部１２６の約半分だけであることである。それは上下二個の開口１４０ｂ、１４０ｃを有し、開口１４０ｂおよび開口１４０ｃの寸法は異なるか同じでもよい。整流構造部１２０ａの吸入量は、整流構造部１２０の吸入量よりも大きい。
【００３４】
図４Ｃに示すように、整流構造部１２０ｂの型式は整流構造部１２０と類似しており、両者の違いは整流構造部１２０ｂにある構造体部１２６ｂの横断面が矩形であることと、開口１４０ａ〜１４０ｃの形状が円形または楕円形であることである。整流構造部１２０ｂの接合面積は、整流構造部１２０の接合面積よりも大きいため、大きな接合力を得ることができる。
【００３５】
図４Ｄに示すように、整流構造部１２０ｃの型式は整流構造部１２０と類似しており、両者の違いは整流構造部１２０ｃの構造体部１２６ｃの外形が円弧状であることであり、接合ホール１２８は直接に構造体部１２６ｃの円弧部上へ形成される。整流構造部１２０ｃの材料使用量とそれが占める空間は整流構造部１２０よりも小さいため、コストおよび使用空間をさらに節減することができる。
【００３６】
図４Ｅに示すように、整流構造部１２０ｄの型式は整流構造部１２０と類似しており、両者の違いは整流構造部１２０ｄの開口形状が均一であることである。つまり、開口１４０ａの寸法形状が開口１４０ｃと同じであるということである。整流構造部１２０ｄは他の形状加工工程を行う必要が無いため、整流構造部１２０ｄの製造時間は整流構造部１２０よりも短く、製造時間はさらに節減することができる。
【００３７】
図４Ｆに示すように、整流構造部１２０ｅと整流構造部１２０との違いは、整流構造部１２０が軸流式の整流構造体部であり、整流構造部１２０ｅは送風式の整流構造体部であることである。整流構造部１２０ｅは、空気吸込口１４６、空気吹出口１４４、壁部１４２およびカバー体（図示せず）を有する構造体部１２６ｅである。空気吹出口１４４は、整流構造部１２０ｅの側面上に位置し、壁部１４２、構造体部１２６ｅ、カバー体および整流構造部１２０ｅ内に位置するファン翼間は圧力増大のフローチャネルを形成する。整流構造部１２０ｅの風圧は、整流構造部１２０の風圧よりも遥かに大きいため、高風圧を使用しなければならない装置に適合する。
【００３８】
図４Ｇに示すように、整流構造部１２０ｆと整流構造部１２０との違いは、整流構造部１２０ｆの構造体部１２６ｆ上には他の接合孔が形成されていないことである。整流構造部１２０ｆとその他の装置を接続する方式は、ベース１２２およびその他の部位上において、引掛固定、締結、粘着などの方式により整流構造部１２０ｆをその他の装置上に接続する方式である。また整流構造部は、固定具１１０およびその他の装置により固定する方式により、その他の装置上へ設けることができる。このように整流構造部の材料使用量および工程数を減らして、生産のコストおよび時間を大幅に少なくすることができる。
【００３９】
上述の複数の実施例では、ファンモジュール１０２および整流構造部１２０を接合して複合式ファン１００へ組み合わせたものを例にして説明したが、これだけに限定されるわけではなく、ファンモジュール１０２および整流構造部１２０を、それぞれその他の装置（またはシステム）へ固接する方式により、複合式ファンを装置（またはシステム）上へ設けて組合わせてもよい。この時、前述の整流構造部１２０〜１２０ｅは、ベース１２２およびその接続構造部１２４を形成する必要がなく、その型式は図５Ａ〜図５Ｆに示される。また、ファンモジュールおよび整流構造部を装置（またはシステム）へ接合する方式は、例えば引掛固定、締結、粘着などの方式である。
【００４０】
また、ファンモジュール、整流構造部を装置（またはシステム）へそれぞれ接合するとき、個別に組立てることができ、引掛固定または締結の方式により同時にファンモジュール、整流構造部を装置（またはシステム）上へ固定することもできる。また、この装置は、例えば発熱装置、更には電子装置でもよく、具体的に述べると、この装置は電源供給装置、コンピュータ、サーバ、プロジェクター、プロジェクションテレビ、吸入器、送風器などといった放熱または通風が必要な装置でもある。
【００４１】
また、本発明の複合式ファンは、一つのファン中へ同時に複数組のファンモジュールを有してもよい。ここでは送風式の複合式ファンを例に説明する。
図６は、本発明による複合式ファンに適用される整流構造部のベース１２２ａ部分を示す拡大図である。
ベース１２２ａ上に複数組の接続構造部１２４ａ、１２４ｂを形成してから、複数個のファンモジュールをそれぞれ接続構造部１２４ａ、１２４ｂ上へ設け、ベース１２２ａ上へ複数組のファンモジュールを接続してから、適当な整流構造部を組合わせて、互いに干渉しない複数のファンモジュールを有する複合式ファンを得る。また、前述の実施例では、複数個のファンモジュールを平行に設置して説明したが、これだけに限定されるわけではなく、その他適当な方向へ個々のファンモジュールの位置へ配列してもよい。また、前述の実施例では送風式の複合式ファンを例に説明したが、これだけに限定されるわけではなく、同時に複数個のファンモジュールを有する軸流式の複合式ファンへ適用してもよい。
【００４２】
また、本発明の複合式ファンは、その他の装置上へ直接に接合することができ、先ず本発明のファンを少なくとも一つの固定固定物上へ接続してから、この特定固定物により装置と接続してもよい。ファンおよび装置、ファンおよび特定固定物、または特定固定物および装置の間の接続方式は、例えば引掛固定、粘着、締結などの方式である。
本発明の複合式ファンの整流構造部は、一体成形の形式を例に説明したが、これだけに限定されるわけではなく、整流構造部は複数個の整流壁の組み合わせでもよく、このように、ファン運転時の騒音量を大幅に下げることができる。
【００４３】
上記をまとめると、本発明の複合式ファンは、ファンモジュールおよび整流構造部がそれぞれ独立した構造体部であるため、本発明の複合式ファンは、使用環境の要求に応じて整流構造部を随時変更し、環境に適する効果を具え、使用の利便性を大幅に高めることができる。
また、本発明の複合式ファンは、直接に引掛固定または少量のネジ締結などの方式により、その他の装置上へ固定することができるため、ネジなどその他の接合部品の使用量を減らして、組立のコストおよび時間を大幅に減らすことができる。
【００４４】
また、本発明の複合式ファンは、制御スイッチ状態を調整することにより、容易にそのファンモジュールおよび整流構造部（またはその他の装置）の結合および分離をおこなうため、ファンモジュールおよび整流構造部（またはその他の装置）を分解する利便性を高め、ファンモジュールおよび整流構造部（またはその他の装置）の分解時間を短縮することができる。
本発明の複合式ファンは、その他の締結部品を使用せずにその他の装置上へ固定できるため、従来のファンにおいてその他の装置と固接するのに使用していた部分が必要なくなり、ファンの材料使用量が大幅に減り、製造のコストおよび時間が大幅に減る。
【００４５】
本発明の複合式ファンのファンモジュールと整流構造部とは、それぞれ独立しているため、本発明の複合式ファンは、実際の必要性により風圧、風量、更には風抵抗を容易に下げて複合式ファンを運転する時の騒音音量を下げることができる。
本発明のファンモジュールと整流構造部とを個別にその他の装置上へ設けるとき、整流構造部は空気流を導くのに使用する構造体部（図５Ａ〜図５Ｆに示す）だけを備えるだけで、ファンモジュールは前述の装置に対して最大の放熱効果を発揮し、ファンの作動効率を大幅に高めることができる。
【００４６】
本発明では好適な実施形態を前述の通り開示したが、これらは決して本発明を限定するものではなく、当該技術を熟知するものなら誰でも、本発明の主旨と領域を脱しない範囲内で各種の変動や潤色を加えることができる。従って本発明の保護の範囲は、特許請求の範囲で指定した内容を基準とする。
【図面の簡単な説明】
【００４７】
【図１】本発明の第一実施例による複合式ファンを示す分解斜視図である。
【図２】本発明の第二実施例による複合式ファンを示す分解斜視図である。
【図３】本発明の変形例による複合式ファンのファン翼を示す斜視図である。
【図４Ａ】本発明の複合式ファンに適用される整流構造部を示す斜視図である。
【図４Ｂ】本発明の複合式ファンに適用される整流構造部を示す斜視図である。
【図４Ｃ】本発明の複合式ファンに適用される整流構造部を示す斜視図である。
【図４Ｄ】本発明の複合式ファンに適用される整流構造部を示す斜視図である。
【図４Ｅ】本発明の複合式ファンに適用される整流構造部を示す斜視図である。
【図４Ｆ】本発明の複合式ファンに適用される整流構造部を示す斜視図である。
【図４Ｇ】本発明の複合式ファンに適用される整流構造部を示す斜視図である。
【図５Ａ】本発明の複合式ファンに適用される整流構造部を示す斜視図である。
【図５Ｂ】本発明の複合式ファンに適用される整流構造部を示す斜視図である。
【図５Ｃ】本発明の複合式ファンに適用される整流構造部を示す斜視図である。
【図５Ｄ】本発明の複合式ファンに適用される整流構造部を示す斜視図である。
【図５Ｅ】本発明の複合式ファンに適用される整流構造部を示す斜視図である。
【図５Ｆ】本発明の複合式ファンに適用される整流構造部を示す斜視図である。
【図６】本発明の複合式ファンに適用される整流構造部を示す斜視図である。
【符号の説明】
【００４８】
１００、１００ａ  複合式ファン、１０２、１０２ａ  ファンモジュール、１０４  ハブ、１０６、１０６ａ  ファン翼、１０８  モータモジュール、１１０  固定具、１１２  制御スイッチ、１１４  固定具本体部、１１６  引掛固定構造部、１１８  固定部、１２０、１２０ａ、１２０ｂ、１２０ｃ、１２０ｄ、１２０ｅ、１２０ｆ、１３０  整流構造部、１２２、１２２ａ  ベース、１２４、１２４ａ、１２４ｂ  接続構造部、１２６、１２６ａ、１２６ｂ、１２６ｃ、１２６ｄ、１２６ｅ、１２６ｆ、１３２  構造体部、１２８  接合ホール、１３４、１４２  壁部、１３６  リブ部、１４０ａ、１４０ｂ、１４０ｃ  開口、１４４  空気吹出口、１４６  空気吸込口
【図１】
2005023926.tif 000003
【図２】
2005023926.tif 000004
【図３】
2005023926.tif 000005
【図４Ａ】
2005023926.tif 000006
【図４Ｂ】
2005023926.tif 000007
【図４Ｃ】
2005023926.tif 000008
【図４Ｄ】
2005023926.tif 000009
【図４Ｅ】
2005023926.tif 000010
【図４Ｆ】
2005023926.tif 000011
【図４Ｇ】
2005023926.tif 000012
【図５Ａ】
2005023926.tif 000013
【図５Ｂ】
2005023926.tif 000014
【図５Ｃ】
2005023926.tif 000015
【図５Ｄ】
2005023926.tif 000016
【図５Ｅ】
2005023926.tif 000017
【図５Ｆ】
2005023926.tif 000018
【図６】
2005023926.tif 000019